【手続補正書】
【提出日】平成22年9月8日(2010.9.8)
【手続補正１】
【補正対象書類名】特許請求の範囲
【補正対象項目名】全文
【補正方法】変更
【補正の内容】
【特許請求の範囲】
【請求項１】
液晶素子をそれぞれ有する複数の画素と、信号線駆動回路と、前記複数の画素と同じ基板に形成された走査線駆動回路と、を有し、
前記複数の画素は、赤色に対応する画素と、緑色に対応する画素と、青色に対応する画素と、黄色に対応する画素と、を有し、
前記信号線駆動回路は、ビデオ信号を前記複数の画素に供給し、
前記走査線駆動回路は、選択信号を前記複数の画素に供給し、
前記走査線駆動回路は、第１のトランジスタと、第２のトランジスタと、第３のトランジスタと、第４のトランジスタと、第５のトランジスタと、第６のトランジスタと、第７のトランジスタと、第８のトランジスタと、を有し、
前記第１のトランジスタの第１の電極が第１の配線に電気的に接続され、前記第１のトランジスタの第２の電極が第２の配線に電気的に接続され、
前記第２のトランジスタの第１の電極が第３の配線に電気的に接続され、前記第２のトランジスタの第２の電極が前記第２の配線に電気的に接続され、
前記第３のトランジスタの第１の電極が第４の配線に電気的に接続され、前記第３のトランジスタの第２の電極が前記第１のトランジスタのゲート電極に電気的に接続され、前記第３のトランジスタのゲート電極が前記第４の配線に電気的に接続され、
前記第４のトランジスタの第１の電極が前記第３の配線に電気的に接続され、前記第４のトランジスタの第２の電極が前記第１のトランジスタのゲート電極に電気的に接続され、前記第４のトランジスタのゲート電極が第５の配線に電気的に接続され、
前記第５のトランジスタの第１の電極が前記第３の配線に電気的に接続され、前記第５のトランジスタの第２の電極が前記第１のトランジスタのゲート電極に電気的に接続され、前記第５のトランジスタのゲート電極が前記第２のトランジスタのゲート電極に電気的に接続され、
前記第６のトランジスタの第１の電極が前記第３の配線に電気的に接続され、前記第６のトランジスタの第２の電極が前記第２のトランジスタのゲート電極に電気的に接続され、前記第６のトランジスタのゲート電極が前記第４の配線に電気的に接続され、
前記第７のトランジスタの第１の電極が第６の配線に電気的に接続され、前記第７のトランジスタの第２の電極が前記第２のトランジスタのゲート電極に電気的に接続され、前記第７のトランジスタのゲート電極が前記第６の配線に電気的に接続され、
前記第８のトランジスタの第１の電極が前記第３の配線に電気的に接続され、前記第８のトランジスタの第２の電極が前記第２のトランジスタのゲート電極に電気的に接続され、前記第８のトランジスタのゲート電極が前記第１のトランジスタのゲート電極に電気的に接続され、
前記第１乃至第８のトランジスタは、酸化物半導体を有することを特徴とする液晶表示装置。
【請求項２】
液晶素子をそれぞれ有する複数の画素と、信号線駆動回路と、前記複数の画素と同じ基板に形成された走査線駆動回路と、を有し、
前記信号線駆動回路は、ビデオ信号を前記複数の画素に供給し、
前記走査線駆動回路は、選択信号を前記複数の画素に供給し、
前記走査線駆動回路は、第１のトランジスタと、第２のトランジスタと、第３のトランジスタと、第４のトランジスタと、第５のトランジスタと、第６のトランジスタと、第７のトランジスタと、第８のトランジスタと、を有し、
前記第１のトランジスタの第１の電極が第１の配線に電気的に接続され、前記第１のトランジスタの第２の電極が第２の配線に電気的に接続され、
前記第２のトランジスタの第１の電極が第３の配線に電気的に接続され、前記第２のトランジスタの第２の電極が前記第２の配線に電気的に接続され、
前記第３のトランジスタの第１の電極が第４の配線に電気的に接続され、前記第３のトランジスタの第２の電極が前記第１のトランジスタのゲート電極に電気的に接続され、前記第３のトランジスタのゲート電極が前記第４の配線に電気的に接続され、
前記第４のトランジスタの第１の電極が前記第３の配線に電気的に接続され、前記第４のトランジスタの第２の電極が前記第１のトランジスタのゲート電極に電気的に接続され、前記第４のトランジスタのゲート電極が第５の配線に電気的に接続され、
前記第５のトランジスタの第１の電極が前記第３の配線に電気的に接続され、前記第５のトランジスタの第２の電極が前記第１のトランジスタのゲート電極に電気的に接続され、前記第５のトランジスタのゲート電極が前記第２のトランジスタのゲート電極に電気的に接続され、
前記第６のトランジスタの第１の電極が前記第３の配線に電気的に接続され、前記第６のトランジスタの第２の電極が前記第２のトランジスタのゲート電極に電気的に接続され、前記第６のトランジスタのゲート電極が前記第４の配線に電気的に接続され、
前記第７のトランジスタの第１の電極が第６の配線に電気的に接続され、前記第７のトランジスタの第２の電極が前記第２のトランジスタのゲート電極に電気的に接続され、前記第７のトランジスタのゲート電極が前記第６の配線に電気的に接続され、
前記第８のトランジスタの第１の電極が前記第３の配線に電気的に接続され、前記第８のトランジスタの第２の電極が前記第２のトランジスタのゲート電極に電気的に接続され、前記第８のトランジスタのゲート電極が前記第１のトランジスタのゲート電極に電気的に接続され、
前記第１乃至第８のトランジスタは、酸化物半導体を有することを特徴とする液晶表示装置。
【請求項３】
液晶素子をそれぞれ有する複数の画素と、信号線駆動回路と、前記複数の画素と同じ基板に形成された走査線駆動回路と、を有し、
前記複数の画素は、赤色に対応する画素と、緑色に対応する画素と、青色に対応する画素と、黄色に対応する画素と、を有し、
前記信号線駆動回路は、ビデオ信号を前記複数の画素に供給し、
前記走査線駆動回路は、選択信号を前記複数の画素に供給し、
前記走査線駆動回路は、第１のトランジスタと、第２のトランジスタと、第３のトランジスタと、第４のトランジスタと、第５のトランジスタと、第６のトランジスタと、第７のトランジスタと、第８のトランジスタと、を有し、
前記第１のトランジスタの第１の電極が第１の配線に電気的に接続され、前記第１のトランジスタの第２の電極が第２の配線に電気的に接続され、
前記第２のトランジスタの第１の電極が第３の配線に電気的に接続され、前記第２のトランジスタの第２の電極が前記第２の配線に電気的に接続され、
前記第３のトランジスタの第１の電極が第４の配線に電気的に接続され、前記第３のトランジスタの第２の電極が前記第１のトランジスタのゲート電極に電気的に接続され、前記第３のトランジスタのゲート電極が前記第４の配線に電気的に接続され、
前記第４のトランジスタの第１の電極が前記第３の配線に電気的に接続され、前記第４のトランジスタの第２の電極が前記第１のトランジスタのゲート電極に電気的に接続され、前記第４のトランジスタのゲート電極が第５の配線に電気的に接続され、
前記第５のトランジスタの第１の電極が前記第３の配線に電気的に接続され、前記第５のトランジスタの第２の電極が前記第１のトランジスタのゲート電極に電気的に接続され、前記第５のトランジスタのゲート電極が前記第２のトランジスタのゲート電極に電気的に接続され、
前記第６のトランジスタの第１の電極が前記第３の配線に電気的に接続され、前記第６のトランジスタの第２の電極が前記第２のトランジスタのゲート電極に電気的に接続され、前記第６のトランジスタのゲート電極が前記第４の配線に電気的に接続され、
前記第７のトランジスタの第１の電極が第６の配線に電気的に接続され、前記第７のトランジスタの第２の電極が前記第２のトランジスタのゲート電極に電気的に接続され、前記第７のトランジスタのゲート電極が前記第６の配線に電気的に接続され、
前記第８のトランジスタの第１の電極が前記第３の配線に電気的に接続され、前記第８のトランジスタの第２の電極が前記第２のトランジスタのゲート電極に電気的に接続され、前記第８のトランジスタのゲート電極が前記第１のトランジスタのゲート電極に電気的に接続されることを特徴とする液晶表示装置。
【請求項４】
請求項１乃至請求項３のいずれか一項において、
前記走査線駆動回路は、第１の電極が第７の配線と電気的に接続され、第２の電極が第８の配線に電気的に接続され、ゲート電極が前記第１のトランジスタのゲート電極に電気的に接続される第９のトランジスタを有することを特徴とする液晶表示装置。
【請求項５】
請求項１乃至請求項３のいずれか一項において、
前記走査線駆動回路は、第１の電極が前記第６の配線と電気的に接続され、第２の電極が前記第２のトランジスタのゲート電極と接続され、ゲート電極が前記第２のトランジスタのゲート電極と電気的に接続される第９のトランジスタを有することを特徴とする液晶表示装置。
【請求項６】
請求項５において、
前記走査線駆動回路は、第１の電極が第７の配線と電気的に接続され、第２の電極が第８の配線に電気的に接続され、ゲート電極が前記第１のトランジスタのゲート電極に電気的に接続される第１０のトランジスタを有することを特徴とする液晶表示装置。
【請求項７】
液晶素子をそれぞれ有する複数の画素と、信号線駆動回路と、前記複数の画素と同じ基板に形成された走査線駆動回路と、を有し、
前記複数の画素は、赤色に対応する画素と、緑色に対応する画素と、青色に対応する画素と、黄色に対応する画素と、を有し、
前記信号線駆動回路は、ビデオ信号を前記複数の画素に供給し、
前記走査線駆動回路は、選択信号を前記複数の画素に供給し、
前記走査線駆動回路は、第１のトランジスタと、第２のトランジスタと、第３のトランジスタと、第４のトランジスタと、第５のトランジスタと、を有し、
前記第１のトランジスタの第１の電極が第１の配線に電気的に接続され、前記第１のトランジスタの第２の電極が第２の配線に電気的に接続され、
前記第２のトランジスタの第１の電極が第３の配線に電気的に接続され、前記第２のトランジスタの第２の電極が前記第２の配線に電気的に接続され、
前記第３のトランジスタの第１の電極が第４の配線に電気的に接続され、前記第３のトランジスタの第２の電極が前記第１のトランジスタのゲート電極に電気的に接続され、前記第３のトランジスタのゲート電極が前記第４の配線に電気的に接続され、
前記第４のトランジスタの第１の電極が前記第３の配線に電気的に接続され、前記第４のトランジスタの第２の電極が前記第１のトランジスタのゲート電極に電気的に接続され、前記第４のトランジスタのゲート電極が第５の配線に電気的に接続され、
前記第５のトランジスタの第１の電極が前記第３の配線に電気的に接続され、前記第５のトランジスタの第２の電極が前記第１のトランジスタのゲート電極に電気的に接続され、前記第５のトランジスタのゲート電極が前記第２のトランジスタのゲート電極に電気的に接続され、
前記第１乃至第５のトランジスタは、酸化物半導体を有することを特徴とする液晶表示装置。
【請求項８】
液晶素子をそれぞれ有する複数の画素と、信号線駆動回路と、前記複数の画素と同じ基板に形成された走査線駆動回路と、を有し、
前記信号線駆動回路は、ビデオ信号を前記複数の画素に供給し、
前記走査線駆動回路は、選択信号を前記複数の画素に供給し、
前記走査線駆動回路は、第１のトランジスタと、第２のトランジスタと、第３のトランジスタと、第４のトランジスタと、第５のトランジスタと、を有し、
前記第１のトランジスタの第１の電極が第１の配線に電気的に接続され、前記第１のトランジスタの第２の電極が第２の配線に電気的に接続され、
前記第２のトランジスタの第１の電極が第３の配線に電気的に接続され、前記第２のトランジスタの第２の電極が前記第２の配線に電気的に接続され、
前記第３のトランジスタの第１の電極が第４の配線に電気的に接続され、前記第３のトランジスタの第２の電極が前記第１のトランジスタのゲート電極に電気的に接続され、前記第３のトランジスタのゲート電極が前記第４の配線に電気的に接続され、
前記第４のトランジスタの第１の電極が前記第３の配線に電気的に接続され、前記第４のトランジスタの第２の電極が前記第１のトランジスタのゲート電極に電気的に接続され、前記第４のトランジスタのゲート電極が第５の配線に電気的に接続され、
前記第５のトランジスタの第１の電極が前記第３の配線に電気的に接続され、前記第５のトランジスタの第２の電極が前記第１のトランジスタのゲート電極に電気的に接続され、前記第５のトランジスタのゲート電極が前記第２のトランジスタのゲート電極に電気的に接続され、
前記第１乃至第５のトランジスタは、酸化物半導体を有することを特徴とする液晶表示装置。
【請求項９】
液晶素子をそれぞれ有する複数の画素と、信号線駆動回路と、前記複数の画素と同じ基板に形成された走査線駆動回路と、を有し、
前記複数の画素は、赤色に対応する画素と、緑色に対応する画素と、青色に対応する画素と、黄色に対応する画素と、を有し、
前記信号線駆動回路は、ビデオ信号を前記複数の画素に供給し、
前記走査線駆動回路は、選択信号を前記複数の画素に供給し、
前記走査線駆動回路は、第１のトランジスタと、第２のトランジスタと、第３のトランジスタと、第４のトランジスタと、第５のトランジスタと、を有し、
前記第１のトランジスタの第１の電極が第１の配線に電気的に接続され、前記第１のトランジスタの第２の電極が第２の配線に電気的に接続され、
前記第２のトランジスタの第１の電極が第３の配線に電気的に接続され、前記第２のトランジスタの第２の電極が前記第２の配線に電気的に接続され、
前記第３のトランジスタの第１の電極が第４の配線に電気的に接続され、前記第３のトランジスタの第２の電極が前記第１のトランジスタのゲート電極に電気的に接続され、前記第３のトランジスタのゲート電極が前記第４の配線に電気的に接続され、
前記第４のトランジスタの第１の電極が前記第３の配線に電気的に接続され、前記第４のトランジスタの第２の電極が前記第１のトランジスタのゲート電極に電気的に接続され、前記第４のトランジスタのゲート電極が第５の配線に電気的に接続され、
前記第５のトランジスタの第１の電極が前記第３の配線に電気的に接続され、前記第５のトランジスタの第２の電極が前記第１のトランジスタのゲート電極に電気的に接続され、前記第５のトランジスタのゲート電極が前記第２のトランジスタのゲート電極に電気的に接続されることを特徴とする液晶表示装置。
【請求項１０】
請求項７乃至請求項９のいずれか一項において、
前記走査線駆動回路は、第１の電極が第６の配線と電気的に接続され、第２の電極が第７の配線に電気的に接続され、ゲート電極が前記第１のトランジスタのゲート電極に電気的に接続される第６のトランジスタを有することを特徴とする液晶表示装置。
【請求項１１】
請求項７乃至請求項９のいずれか一項において、
前記走査線駆動回路は、第１の電極が前記第３の配線と電気的に接続され、第２の電極が前記第２のトランジスタのゲート電極に電気的に接続され、ゲート電極が前記第４の配線に電気的に接続される第６のトランジスタを有することを特徴とする液晶表示装置。
【請求項１２】
請求項１１において、
前記走査線駆動回路は、第１の電極が第６の配線と電気的に接続され、第２の電極が第７の配線に電気的に接続され、ゲート電極が前記第１のトランジスタのゲート電極に電気的に接続される第７のトランジスタを有することを特徴とする液晶表示装置。
【請求項１３】
請求項１乃至請求項１２のいずれか一項において、
前記複数の画素は、各々、第１のサブ画素と第２のサブ画素とを有し、
前記第１のサブ画素と前記第２のサブ画素とに、互いに異なる選択信号が入力されていることを特徴とする液晶表示装置。
【請求項１４】
請求項１乃至請求項１３のいずれか一項に記載の液晶表示装置を具備する電子機器。